(57)【要約】【課題】多数種の工具が夫々有する機能を１つの工具にまとめるとともに、工具の持ち替えを可能な限り減少させることができる電気工事用多機能工具及びカバーを提供する。【解決手段】二本のアーム１１の中間部適所をヒンジ部１４にて回動自在に軸支し、各アームのヒンジ部よりも後方部を把持部３とし、ヒンジ部よりも前方部をヘッド部２とした洋鋏状の電気工事用多機能工具１であって、ヘッド部を構成する各アーム先端の対向面には、圧着端子を圧着するためのカシメ部２０と、被覆線を切断するワイヤカッター３０と、被覆線の被覆層を剥離するワイヤストリッパー４０が前後方向位置を異ならせて配置されており、一方のアームの先端部の非対向面にはヤスリ部５２を備え、他方のアームの先端部の非対向面には打ち込み用衝撃吸収材５１を備え、少なくとも一方のアームの先端部には、稜線に沿って形成された目盛り５３を備えている。【選択図】図１
2011120722.tif 000002
【特許請求の範囲】
【請求項１】
二本のアームの中間部適所をヒンジ部にて回動自在に軸支し、該各アームの該ヒンジ部よりも後方部を把持部とし、該ヒンジ部よりも前方部をヘッド部とした洋鋏状の電気工事用多機能工具であって、
前記ヘッド部を構成する各アーム先端の対向面には、圧着端子を圧着するためのカシメ部と、被覆線を切断するワイヤカッターと、被覆線の被覆層を剥離するワイヤストリッパーが前後方向位置を異ならせて配置されており、
一方の前記アームの先端部の非対向面にはヤスリ部を備え、他方の前記アームの先端部の非対向面には打ち込み用衝撃吸収材を備え、
少なくとも一方の前記アームの先端部には、稜線に沿って形成された目盛りを備えていることを特徴とする電気工事用多機能工具。
【請求項２】
請求項１に記載の電気工事用多機能工具の前記ヘッド部と、前記ヒンジ部までを覆うカバーであって、
前記各アームの対向面を近接させた時に前記各凹所が形成する円筒状穴の両端開口に対応する前記カバーの２つの内壁には金属ピンが跨って固定されていることを特徴とするカバー。
【発明の詳細な説明】
【技術分野】
【０００１】
本発明は、電気工事の際に使用する電気工事用多機能工具及びそのカバーに関する。
【背景技術】
【０００２】
送配電設備の設置、修繕等の電気工事には様々な工具が必要である。例えば、２本の被覆線を接続するには、被覆線の被覆層を剥ぎ取り加工する電工ナイフ、被覆線を必要な長さに切断するペンチ、リングスリーブ（圧着端子）を用いて２本の被覆線を圧着接続する圧着ペンチ、切断すべき被覆線の長さや剥離すべき被覆層の長さを測定するメジャー等が必要である。
作業員はこれらの工具を腰袋に収容して、作業現場となる電柱や鉄塔等の高所に昇る必要がある。時には工具の総重量が２０ｋｇを超え、昇降動作だけでも重労働となっていた。
複数の工具を一つにまとめ軽量化を図った従来例として、特許文献１が挙げられる。特許文献１には、プライヤー、ペンチ、カッター、ナイフ及びハンマの他、ドライバやボックスレンチを取り付けるソケットを備えた万能手動工具が記載されている。１つの工具に複数の機能を備えているため、携帯や保管に便利で作業性に優れるという長所がある。
【先行技術文献】
【特許文献】
【０００３】
【特許文献１】実開平７−２０２７８号公報
【発明の概要】
【発明が解決しようとする課題】
【０００４】
しかしながら、特許文献１の工具は複数の機能を備えているが、工具の持ち替えを減少させることについては考慮されていないという問題がある。例えば、万能手工具をプライヤーとして使用する場合は、把持部を握って作業することとなるが、ナイフとして使用する場合には、工具の前方側を把持するように持ち替える必要がある。
電気工事は電柱上や鉄塔上等の高所において行われるため、持ち替えに失敗した場合に工具を落下させる虞があり、持ち替え回数が多くなるほどその虞が増大する。工具を落下させた場合には、工具を拾いに行くための新たな昇降動作が必要となるだけではなく、作業現場の直下にいる人間に怪我をさせる虞がある。また、高所作業においては作業スペースが限られているため、工具の持ち替え時に他の作業員と接触して工具を落下させる虞もあり、工具の持ち替え回数は可能な限り少ない方がよい。
本発明は、上述の事情に鑑みてなされたものであり、多数種の工具が夫々有する機能を１つの工具にまとめるとともに、工具の持ち替えを可能な限り減少させることができる電気工事用多機能工具及び電気工事用多機能工具ユニットを提供することを目的とする。
【課題を解決するための手段】
【０００５】
上記の課題を解決するために、請求項１に記載の発明は、二本のアームの中間部適所をヒンジ部にて回動自在に軸支し、該各アームの該ヒンジ部よりも後方部を把持部とし、該ヒンジ部よりも前方部をヘッド部とした洋鋏状の電気工事用多機能工具であって、前記ヘッド部を構成する各アーム先端の対向面には、圧着端子を圧着するためのカシメ部と、被覆線を切断するワイヤカッターと、被覆線の被覆層を剥離するワイヤストリッパーが前後方向位置を異ならせて配置されており、一方の前記アームの先端部の非対向面にはヤスリ部を備え、他方の前記アームの先端部の非対向面には打ち込み用衝撃吸収材を備え、少なくとも一方の前記アームの先端部には、稜線に沿って形成された目盛りを備えていることを特徴とする。
請求項１に記載の発明では、ヘッド部を構成する各アーム先端の対向面に、カシメ部とワイヤカッターとワイヤストリッパーが前後方向位置を異ならせて配置されており、一方のアームの先端部の非対向面にはヤスリ部を備え、他方のアームの先端部の非対向面には打ち込み用衝撃吸収材を備え、少なくとも一方のアームの先端部には、稜線に沿って形成された目盛りを備えているので、電気工事に必要な多数種の工具を１つの工具にまとめることができる。また、多数種の工具がヘッド部に配置されているので、工具の持ち替えを可能な限り減少させることができる。
請求項２に記載の発明は、請求項１に記載の電気工事用多機能工具の前記ヘッド部と、前記ヒンジ部までを覆うカバーであって、前記各アームの対向面を近接させた時に前記各凹所が形成する円筒状穴の両端開口に対応する前記カバーの２つの内壁には金属ピンが跨って固定されていることを特徴とする。
請求項２に記載の発明では、多機能工具のヘッド部をカバーに挿入して各アームの対向面を近接させるだけで、凹所が形成する円筒状穴の両端開口が金属ピンを噛み込むので、多機能工具を容易に収納可能であり、カバーからの脱落も防止できる。
【発明の効果】
【０００６】
本発明によれば、ヘッド部を構成する各アーム先端の対向面に、カシメ部とワイヤカッターとワイヤストリッパーが前後方向位置を異ならせて配置されて、一方のアームの先端部の非対向面にはヤスリ部を備え、他方のアームの先端部の非対向面には打ち込み用衝撃吸収材を備え、少なくとも一方のアームの先端部には、稜線に沿って形成された目盛りを備えているので、電気工事に必要な多数種の工具を１つの工具にまとめることができる。また、多数種の工具がヘッド部に配置されているので、工具の持ち替えを可能な限り減少させることができる。
【図面の簡単な説明】
【０００７】
【図１】本発明に係る電気工事用多機能工具を示す正面図である。
【図２】本発明に係る電気工事用多機能工具を示す斜視図である。
【図３】カシメ部の拡大正面図であり、（ａ）はカシメ部の閉止状態を示す図であり、（ｂ）はカシメ部の開放状態を示す図である。
【図４】図３（ａ）を前方側から見たＡ−Ａ断面図である。
【図５】ワイヤカッターの開放状態における部分拡大図であり、（ａ）は正面図であり、（ｂ）は裏面図である。
【図６】ワイヤカッターを前方側から見た断面図であり、（ａ）は図５（ａ）のＢ−Ｂ断面図であり、（ｂ）は（ａ）の閉止状態における断面図である。
【図７】ワイヤストリッパーの閉止状態における拡大裏面図である。
【図８】ワイヤストリッパーを前方側から見た断面図であり、（ａ）はＣ−Ｃ断面図であり、（ｂ）は（ａ）のＤ部分の拡大図である。
【図９】ヘッド部の拡大図であり、（ａ）は上面図であり、（ｂ）は下面図である。
【図１０】カバーと多機能工具との関係を示す図であり、（ａ）は正面図であり、（ｂ）は（ａ）を前方側から見たＥ−Ｅ断面図である。
【図１１】カバーと多機能工具を示す斜視図である。
【発明を実施するための形態】
【０００８】
まず、本発明に係る電気工事用多機能工具について図１、図２に基づいて説明する。図１は、本発明に係る電気工事用多機能工具を示す正面図である。図２は、本発明に係る電気工事用多機能工具を示す斜視図である。
多機能工具１は、二本のアーム１１（第一アーム１２及び第二アーム１３）の中間部適所をヒンジ部１４にて回動自在に軸支した洋鋏状の工具である。ヒンジ部１４よりも前方部に位置するヘッド部２を構成する各アーム１１先端の対向面１５には、リングスリーブを圧着するためのカシメ部２０と、被覆線を切断するワイヤカッター３０と、被覆線の被覆層を剥離するワイヤストリッパー４０が前後方向位置を異ならせて配置されている。また、第一アーム１２の非対向面には打ち込み用のショックレスラバー５１（衝撃吸収材）を備え、第二アーム１３の先端部の非対向面にはヤスリ部５２を備えている。また、第一アーム１２の先端部には、稜線に沿って目盛り５３が形成されている。
アーム１１のヒンジ部１４より後方側は、作業員が多機能工具１を把持、操作する把持部３となっている。把持部３の周囲は丸く面取り処理されており、作業員が把持部３を握ったときのフィット感を向上させて作業員の負傷を防止すると共に、把持部３の損傷を防止している。
本明細書においては、多機能工具１を把持したときに親指側に位置するアームを第一アーム１２、小指側に位置するアームを第二アーム１３として説明する。また、多機能工具１を把持したときに掌側となる面を裏面側、その反対面を正面側として説明する。なお、図１には右利き用の多機能工具１が示されている。
【０００９】
第一アーム１２の後端部には、多機能工具１の落下を防止するワイヤを取り付けるワイヤ孔６１と、アーム１１の開放を阻止する略Ｃ字状のロックピン６２と、を有する。第二アーム１３の後端部には、ロックピン６２を掛止する掛止溝６３を備える。ロックピン６２は、第一アーム１２に回動自在に軸支され、掛止溝６３に掛止された状態ではアーム１１を開くことができない。アーム１１のロックを解除するには、把持部３をやや強く握りロックピン６２を掛止溝６３から外す。また、アーム１１をロックする際には、把持部３をやや強く握りロックピン６２を掛止溝６３に掛止する。ワイヤ孔６１とロックピン６２及び掛止溝６３は、第一アーム１２と第二アームの何れに備えてもよい。
把持部３には絶縁処理が施され、低圧充電作業時の感電を防止する。また、把持部３には撥水加工が施され、雨天作業時における感電を防止する。
ヘッド部２には、ヒンジ部１４から離間する方向へ順にカシメ部２０とワイヤカッター３０とワイヤストリッパー４０が配置されている。また、カシメ部２０とワイヤカッター３０とワイヤストリッパー４０部分を除く対向面１５は、波形の凹凸が形成されたくわえ部１６となっており、ナットを挟んで簡易レンチとして使用することができる。
【００１０】
図３は、カシメ部の拡大正面図であり、（ａ）はカシメ部の閉止状態を示す図であり、（ｂ）はカシメ部の開放状態を示す図である。図４は、図３（ａ）を前方側から見たＡ−Ａ断面図である。
カシメ部２０は、両端部から複数の心線が挿入されたリングスリーブを圧縮して被覆線を接続する圧着部材である。カシメ部２０は、第一アーム１２及び第二アーム１３の幅方向全長に渡って形成された半円筒状の凹所からなり、第一カシメ部２１及び第二カシメ部２５を有する。第一カシメ部２１と第二カシメ部２５の構成は同一であるため、以下第一カシメ部２１について説明する。
第一カシメ部２１は、第一アーム１２に形成されてリングスリーブを受け入れる受け部２２と、第二アーム１３に形成されてリングスリーブを圧縮する圧着部２３とからなる。受け部２２及び圧着部２３の幅方向中間部の対向する部位には、スリーブを圧着する圧着面２２ａ、２３ａが突出している。カシメ部２０の幅が広い場合であっても、圧着面２２ａ、２３ａの幅を小さく設定することにより、圧着面２２ａ、２３ａに対して集中的に圧着力が加わり、スリーブを効果的に圧着することができる。例えば、カシメ部２０の全幅が１．５ｃｍである場合に、圧着面２２ａ、２３ａの幅を０．３ｃｍのように設定する。
【００１１】
圧着部２３の深さは受け部２２の深さよりも浅く設定され、カシメ部２０を完全に閉じたときに圧着部２３が受け部２２内に入り込み、カシメに必要なトルクがスリーブに加わるように構成されている。本発明では、大径のリングスリーブ用の第一カシメ部２１と小径のリングスリーブ用の第二カシメ部２５と有している。例えば、第一カシメ部２１を１４□に対応するカシメ部とし、第二カシメ部２５を３．２ｍ／ｍ、２．６ｍ／ｍに対応するカシメ部とすることができる。
ヘッド部２の対向面１５に配置したカシメ部２０とワイヤカッター３０とワイヤストリッパー４０のうち、一番強い力を必要とするカシメ部２０をヒンジ部１４に隣接した位置に配置したことにより、てこの原理を利用して軽い握り力で強い圧縮力を得られる。
【００１２】
図５は、ワイヤカッターの開放状態における部分拡大図であり、（ａ）は正面図であり、（ｂ）は裏面図である。また、図６は、ワイヤカッターを前方側から見た断面図であり、（ａ）は図５（ａ）のＢ−Ｂ断面図であり、（ｂ）は（ａ）の閉止状態における断面図である。
ワイヤカッター３０は、第二アーム１３側に配置された上刃３１と、第一アーム１２側に配置された下刃３５とからなる。上刃３１と下刃３５が噛合する部分は、ワイヤカッター３０の前後方向において直線状に形成されている。
上刃３１は、第二アーム１３の幅方向中間部において下刃３５に向かって突設されている。上刃３１の刃先は、図中上下方向に対して正面側に所定の角度θだけ傾斜した片刃であり、上刃３１の裏面側（刃裏）は平面状である。上刃３１の刃先角度θは、上刃３１の付け根部分側において刃表と刃裏とが成す角度φよりも鋭い。従って、θ＝φとした場合に比べて、上刃３１の付け根部分における幅を大きくとることができ、強度を高めることができる。
下刃３５は上刃３１の受け部であり、正面側が一段低い階段状である。アーム１１を閉じると、上刃３１の裏面側は下刃３５の正面側に形成された壁面３６に摺接して、ワイヤカッター３０内に挿入されたワイヤにせん断力が働き、ワイヤが切断される。また、上刃３１の刃先部分が下刃３５の下段面３７に当接しないように構成されており、アーム１１を完全に閉じた状態でも上刃３１を傷めることがない。
【００１３】
図７は、ワイヤストリッパーの閉止状態における拡大裏面図である。また、図８はワイヤストリッパーを前方側から見た断面図であり、（ａ）はＣ−Ｃ断面図であり、（ｂ）は（ａ）のＤ部分の拡大図である。
ワイヤストリッパー４０は、第二アーム１３及び第一アーム１２先端の対向面１５に、その幅方向全長に渡って夫々形成された半円筒状の凹所４１、４５から構成されている。各凹所４１、４５の内壁の対向する部位には夫々上刃４２と下刃４６が突設されている。
上刃４２及び下刃４６は、共に裏面側が刃裏となる片刃である。上刃４２及び下刃４６の刃裏側には、被覆線Ｗの外周面を支える支承部４７となっている。夫々の支承部４７からの上刃４２と下刃４６の最大突出量は、ワイヤストリッパー４０に対応する被覆線Ｗの被覆層ＷＡの厚さと略同一である。
【００１４】
本発明に係るワイヤストリッパー４０の上刃４２、下刃４６及び支承部４７は、図７に示すように、多機能工具１の前後方向に直線状となっており、ワイヤストリッパー４０に対応する被覆線Ｗの外形形状に合わせた形状ではない。このため、上刃４２及び下刃４６の突出量が被覆層ＷＡの厚さに対応し、かつ各凹所４１、４５に挿入可能な太さの被覆線Ｗであれば、被覆線Ｗの外径の大小にかかわらず、被覆層ＷＡを剥離することかできる。
ワイヤストリッパー４０にて被覆線Ｗの被覆層ＷＡを剥離する場合は、ワイヤストリッパー４０内に被覆線Ｗを挿入し、把持部３を握る。そして、ワイヤストリッパー４０を閉止した状態で、ワイヤストリッパー４０を被覆線Ｗの周囲に半回転させる。ワイヤストリッパー４０を開放して被覆線Ｗを外し、くわえ部１６にて被覆層ＷＡ部分を挟持して心線に沿って移動させると被覆層ＷＡを剥離することができる。従って、多機能工具１を持ち替える必要がない。
また、上刃４２及び下刃４６の裏面側が刃裏となっているため、ワイヤストリッパー４０を被覆線Ｗ周囲に半回転させた後、そのまま多機能工具１を裏面側へ移動させることでも、被覆層ＷＡを剥離することができる。
本発明に係る多機能工具１においては、カシメ部２０とワイヤカッター３０とワイヤストリッパー４０をヘッド部２側に配置したので、被覆線を加工する際に、多機能工具１を把持する作業員の手とヒンジ部１４とが作る空間内に被覆線を挿入する必要がなく、作業効率が向上する。
【００１５】
ショックレスラバー５１、ヤスリ部５２及び目盛り５３について図９に基づいて説明する。図９は、ヘッド部の拡大図であり、（ａ）は上面図であり、（ｂ）は下面図である。
第一アーム１２の非対向面には、打ち込み用のショックレスラバー５１が固着されている。非対向面とショックレスラバー５１には、それぞれ嵌合する凹部と凸部（いずれも不図示）が形成されており、打ち込み作業時におけるショックレスラバー５１の横ずれを防止する。
第二アーム１３の非対向面には、被覆線を磨くためのヤスリ部５２が形成されている。ヤスリ部５２は、非対向面に直接やすりパターンを削り込んだ後に、ヤスリ部５２の固さを増大させるために焼き入れを行い、また粘りを出すために焼き戻しが行われている。
目盛り５３は、第一アーム１２の正面側及び裏面側の稜線に直接目盛り５３を刻むと共に、白塗り加工又は反射加工を施して、視認性を高めておく。目盛り５３の長さは例えば２ｃｍ程度とすることができる。
ショックレスラバー５１、ヤスリ部５２及び目盛り５３は、第一アーム１２と第二アーム１３の何れに備えても良い。また、目盛り５３は、第一アーム１２と第二アーム１３の双方に備えても良い。
【００１６】
本発明に係る多機能工具を用いて２本の被覆線Ｗを接続する場合について説明する。
まず、被覆線Ｗの切断長さを目盛り５３にて測定し、被覆線を必要な長さに調整する。続いて、剥離すべき被覆層ＷＡの長さを目盛り５３にて測定する。ワイヤストリッパー４０を用いて被覆層ＷＡ剥離する。このとき、被覆線Ｗと多機能工具１とを互いに逆方向に回転させることによって、被覆線Ｗの剥離に必要な回転量を得ることができるので、多機能工具１を持ち替える必要はない。ヤスリ部５２にて心線ＷＢを磨く。このようにして準備した２本の被覆線Ｗを、リングスリーブの各端部から夫々挿入し、カシメ部２０にて圧縮する。
以上のように本発明によれば、作業員は多機能工具を持ち替えずに、多機能工具の各部の機能を発揮させることができる。また、多数種の工具を１つの工具にまとめたので、作業現場に持参する工具が軽量化され、携帯に有利である。
【００１７】
続いて、本発明に係る多機能工具を収納するカバーについて図１０、図１１に基づいて説明する。図１０は、カバーと多機能工具との関係を示す図であり、（ａ）は正面図であり、（ｂ）は（ａ）を前方側から見たＥ−Ｅ断面図である。図１１はカバーと多機能工具を示す斜視図である。
図示するカバー７０は、把持部３の一部も覆っているが、少なくともヘッド部２とヒンジ部１４を覆うように構成する。
図示するように、ヘッド部２の対向面１５を近接させた状態でカバー７０に収納したときに、ワイヤストリッパー４０の凹所４１、４５に対応するカバー７０の内壁には、金属ピン７１が跨って固定されている。
金属ピン７１は、両端部側の直径が大きく、中央部の直径が小さい円柱状である。金属ピン７１の両端部側の直径は、ワイヤストリッパー４０の凹所４１、４５が構成する円筒状筒の幅方向両端部の内径と略同一若しくはやや大きい。従って、対向面１５を近接させたときに凹所４１、４５の幅方向両端部と、金属ピン７１の対応する部位とが当接する。
【００１８】
一方、金属ピン７１の中央部は、金属ピン７１の幅方向両端部と凹所４１、４５の対応する部位とが当接したときに、ワイヤストリッパー４０の上刃４２と下刃４６に接触しない直径となっている。
カバー７０の内面形状は、ヘッド部２の外形形状に対応するように、前方側がやや先細りに構成されている。ヘッド部２をやや開いた状態で多機能工具１をカバー７０に挿入すると、ヘッド部２はカバー７０の内壁に当接しつつ進入し、対向面１５が徐々に近接する。ヘッド部２をカバー７０の先端部まで挿入して、アーム１１を閉止すると、ワイヤストリッパー４０が金属ピン７１を噛み込んだ状態となる。さらに、ロックピン６２を掛止溝６３に掛止すると、対向面１５が離間することがないので、多機能工具１がカバー７０から抜け落ちることなく収納される。
以上のように、本発明によれば、収納時にワイヤストリッパーの凹所の端部が金属ピンの端部を噛み込むので、カバーからの脱落を防止できる。また、多機能工具がカバーから脱落してアームが開放されることによる事故を防止することができる。
【符号の説明】
【００１９】
１…多機能工具、２…ヘッド部、３…把持部、１１…アーム、１２…第一アーム、１３…第二アーム、１４…ヒンジ部、１５…対向面、１６…くわえ部、２０…カシメ部、２１…第一カシメ部、２２…受け部、２２ａ…圧着面、２３…圧着部、２３ａ…圧着面、２５…第二カシメ部、３０…ワイヤカッター、３１…上刃、３５…下刃、３６…壁面、３７…下段面、４０…ワイヤストリッパー、４１…凹所、４２…上刃、４５…凹所、４６…下刃、４７…支承部、５１…ショックレスラバー、５２…ヤスリ部、５３…目盛り、６１…ワイヤ孔、６２…ロックピン、６３…掛止溝、７０…カバー、７１…金属ピン
【図１】
2011120722.tif 000003
【図２】
2011120722.tif 000004
【図３】
2011120722.tif 000005
【図４】
2011120722.tif 000006
【図５】
2011120722.tif 000007
【図６】
2011120722.tif 000008
【図７】
2011120722.tif 000009
【図８】
2011120722.tif 000010
【図９】
2011120722.tif 000011
【図１０】
2011120722.tif 000012
【図１１】
2011120722.tif 000013